(57)【要約】      （修正有）【課題】使用者が敷き布団に寝た状態で両足を温めることができる足熱器を提供する。【解決手段】箱状体１と、箱状体内に内装され、芯材３の外周面に合成樹脂製のシート材４を巻回してなる帯電体２と、箱状体内に帯電体を内装した状態での箱状体内の空隙部分に詰入する合成樹脂製の隙間埋体５とからなる。【選択図】図２
0003158300.tif 000002
【実用新案登録請求の範囲】
【請求項１】
箱状体と、該箱状体内に内装され、芯材の外周面に合成樹脂製のシート材を巻回してなる帯電体と、該箱状体内に該帯電体を内装した状態での該箱状体内の空隙部分に詰入する合成樹脂製の隙間埋体とからなることを特徴とする足熱器。
【請求項２】
上記箱状体は紙材からなる段ボール箱であることを特徴とする請求項１記載の足熱器。
【請求項３】
上記箱状体内に上記帯電体を複数個内装してなることを特徴とする請求項１又は２記載の足熱器。
【請求項４】
上記箱状体内に内装された複数個の帯電体の間に合成樹脂製の仕切体を配置してなることを特徴とする請求項３記載の足熱器。
【請求項５】
上記シート材は合成樹脂フィルムに多数の気泡を封じ込めた凸部を複数個配列した構造の気泡緩衝シート材であることを特徴とする請求項１〜４のいずれか１項に記載の足熱器。
【考案の詳細な説明】
【技術分野】
【０００１】
本考案は、例えば敷き布団に寝た状態で足を上に乗せて温めるときに用いられる足熱器に関するものである。
【背景技術】
【０００２】
従来、この種の足熱器として、電源に接続されて発熱する電熱体からなる構造や化学発熱組成物からなる構造のものが知られている。
【先行技術文献】
【特許文献】
【０００３】
【特許文献１】特許第３６２８６８２号
【考案の概要】
【考案が解決しようとする課題】
【０００４】
しかしながらこれら従来構造の場合、電源や化学発熱組成物が必要となり、漏電のおそれや、ランニングコストが掛かるという不都合を有している。
【課題を解決するための手段】
【０００５】
本考案はこのような不都合を解決することを目的とするもので、本考案のうちで、請求項１記載の考案は、箱状体と、該箱状体内に内装され、芯材の外周面に合成樹脂製のシート材を巻回してなる帯電体と、該箱状体内に該帯電体を内装した状態での該箱状体内の空隙部分に詰入する合成樹脂製の隙間埋体とからなることを特徴とする足熱器にある。
【０００６】
又、請求項２記載の考案は、上記箱状体は紙材からなる段ボール箱であることを特徴とするものであり、又、請求項３記載の考案は、上記箱状体内に上記帯電体を複数個内装してなることを特徴とするものであり、又、請求項４記載の考案は、上記箱状体内に内装された複数個の帯電体の間に合成樹脂製の仕切体を配置してなることを特徴とするものであり、又、請求項５記載の考案は、上記シート材は合成樹脂フィルムに多数の気泡を封じ込めた凸部を複数個配列した構造の気泡緩衝シート材であることを特徴とするものである。
【考案の効果】
【０００７】
本考案は上述の如く、請求項１記載の考案にあっては、敷き布団の足がくる位置に箱状体を設置し、使用者が敷き布団に寝た状態で両足を上に乗せ、両足を動かすことにより箱状体と足、帯電体のシート材と箱状体間、帯電体のシート材と隣り合う帯電体のシート材、帯電体のシート材と芯材、その他、合成樹脂製材料からなるシート材、隙間埋体、仕切体の間、これら合成樹脂製材料と隣り合う材料との間に摩擦が生起され、この摩擦により帯電体に静電気が蓄積され、蓄積された静電気が足の皮膚に対して温熱効果を与えることにより足を温めることができ、したがって、箱状体を敷き布団の上に設置して置き、足を動かすことにより帯電体に静電気が蓄積され、この静電気が足の皮膚に対して温熱効果を与えて足を温めることができ、足熱具を安価に製作することができ、漏電などによる火災の心配が解消されて安全性を高めることができ、電気等の外部エネルギーも不要となってランニングコストの心配もなくなり、製作並びに使用上、経済性を高めることができる。
【０００８】
又、請求項２記載の考案にあっては、上記箱状体は紙材からなる段ボール箱であるから、シート材、隙間埋体が合成樹脂材からなることも相俟って軽量化を図ることができ、又、請求項３記載の考案にあっては、上記箱状体内に上記帯電体を複数個内装してなるから、静電気の蓄積量を多くすることができ、温熱効果を高めることができ、又、請求項４記載の考案にあっては、上記箱状体内に内装された複数個の帯電体の間に合成樹脂製の仕切体を配置してなるから、合成樹脂製の仕切体と合成樹脂製の帯電体のシート材との間の摩擦による静電気が生じ、温熱効果を高めることができ、又、請求項５記載の考案にあっては、上記シート材は合成樹脂フィルムに多数の気泡を封じ込めた凸部を複数個配列した構造の気泡緩衝シート材であるから、帯電体のシート材と隣り合う帯電体のシート材との間の摩擦が良好になされ、温熱効果を高めることができる。
【図面の簡単な説明】
【０００９】
【図１】本考案の実施の形態例の全体斜視図である。
【図２】本考案の実施の形態例の全体断面図である。
【図３】本考案の実施の形態例の部分斜視図である。
【図４】本考案の実施の形態例の使用状態図である。
【考案を実施するための形態】
【００１０】
図１乃至図４は本考案の実施の形態例を示し、１は箱状体であって、この場合、紙材からなる段ボール箱が用いられ、具体的には、例えば、幅Ｗ＝１０ｍｍ〜３０ｍｍ×高さＨ＝３０ｍｍ〜４０ｍｍ×奥行Ｂ＝１０ｍｍ〜３０ｍｍ程度のものが用いられている。尚、これら幅Ｗ×高さＨ×奥行Ｂの寸法はこれに限られるものではなく、適宜選択して決定されるものである。
【００１１】
２は帯電体であって、上記箱状体１内に内装され、芯材３の外周面に合成樹脂製のシート材４を巻回した構造となっており、この場合、このような構造の帯電体２を箱状体１内に複数個内装している。例えば、図２の如く、６個の帯電体２を左右に合計１２個配置して構成され、かつ、この場合、上記シート材４は、例えば、ポリエチレン、ナイロン（商標）、ビニール等の合成樹脂フィルムに多数の気泡を封じ込めた半球状の凸部Ｔを複数個規則的に配列した構造であって、例えば、プチプチ（商標・川上産業株式会社製）やエアセルマット（商標・関西和泉株式会社製）と称して販売されている気泡緩衝シート材Ｐが用いられ、具体的には、例えば、廃棄処分される包装資材を用いることができる。また、上記芯材３は具体的には紙材からなる筒体や例えば、雑誌の数頁分を筒状に丸めたものを用いることができる。
【００１２】
５は隙間埋体であって、上記箱状体１内に上記帯電体２を内装した状態での箱状体１内の空隙部分に詰入する、例えば、ポリエチレン、ナイロン（商標）、ビニール等の合成樹脂製の袋やフィルムシート等からなり、具体的には、例えば、廃棄処分される合成樹脂製のレジ袋や包装資材を用いることができる。
【００１３】
６は仕切体であって、上記シート材４と同様な構造の気泡緩衝シート材が用いられ、上記箱状体１の両壁面と複数個の帯電体２・・との間及び複数個の対向する帯電体２・・間に介装され、この場合、二枚の気泡緩衝シート材Ｐ・Ｐを背合わせ状にして三個の仕切体６・６・６を配置して構成している。
【００１４】
この実施の形態例は上記構成であるから、図４の如く、例えば、敷き布団Ｇの足Ｄがくる位置に箱状体１を設置し、このとき、箱状体１全体をバスタオルのような厚手の布で巻いたものを用いることもあり、そして、使用者Ｍが敷き布団Ｇに寝た状態で両足を上に乗せ、両足を動かすことにより箱状体１と足Ｄ又は箱状体１に巻いた布と足Ｄ、帯電体２のシート材４と箱状体１間、帯電体２のシート材４と隣り合う帯電体２のシート材４、帯電体２のシート材４と芯材３、その他、合成樹脂製材料からなるシート材４、隙間埋体５、仕切体６の間、これら合成樹脂製材料と隣り合う材料との間に摩擦が生起され、この摩擦により帯電体２に静電気が蓄積され、蓄積された静電気が足Ｄの皮膚に対して温熱効果を与えることにより足を温めることができる。
【００１５】
したがって、上記箱状体１を敷き布団Ｇの上に設置して置き、足を動かすことにより帯電体２に静電気が蓄積され、この静電気が足Ｄの皮膚に対して温熱効果を与えて足を温めることができ、足熱具を安価に製作することができ、漏電などによる火災の心配が解消されて安全性を高めることができ、電気等の外部エネルギーも不要となってランニングコストの心配もなくなり、製作並びに使用上、経済性を高めることができる。
【００１６】
この場合、上記箱状体１は紙材からなる段ボール箱であるから、シート材４、隙間埋体５が合成樹脂材からなることも相俟って軽量化を図ることができ、又、この場合、上記箱状体１内に上記帯電体２を複数個内装してなるから、静電気の蓄積量を多くすることができ、温熱効果を高めることができ、又、この場合、上記箱状体１内に内装された複数個の帯電体２・・の間に合成樹脂製の仕切体６を配置してなるから、合成樹脂製の仕切体６と合成樹脂製の帯電体２のシート材４との間の摩擦による静電気が生じ、温熱効果を高めることができ、又、この場合、上記シート材４は合成樹脂フィルムに多数の気泡を封じ込めた凸部を複数個配列した構造の気泡緩衝シート材Ｐであるから、帯電体２のシート材４と隣り合う帯電体２のシート材４との間の摩擦が良好になされ、温熱効果を高めることができる。
【００１７】
尚、本考案は上記の形態例に限られるものではなく、箱状体１の大きさや帯電体２の構造、シート材４、芯材３の材質、隙間埋体５の構造や材質等は適宜変更して設計されるものである。
【００１８】
以上の如く、所期の目的を充分達成することができる。
【符号の説明】
【００１９】
Ｔ    凸部
Ｐ    気泡緩衝シート材
１    箱状体
２    帯電体
３    芯材
４    シート材
５    隙間埋体
６    仕切体
【図１】
0003158300.tif 000003
【図２】
0003158300.tif 000004
【図３】
0003158300.tif 000005
【図４】
0003158300.tif 000006